(57)【要約】【課題】バックライトからの光漏れが低減された液晶表示装置の構成を得る。【解決手段】液晶表示装置１は、開口を有する前部筐体１０と、前記前部筐体１０と組み合わされる後部筐体６０と、前記前部筐体１０と前記後部筐体６０との間に配置された液晶パネル２０と、前記液晶パネル２０と前記後部筐体６０との間に配置されたバックライトユニット５０と、前記前部筐体１０と前記バックライトユニット５０との間に配置され、前記前部筐体１０および前記バックライトユニット５０に接する遮光部材３０とを備える。前記遮光部材３０は、前記液晶パネル２０の前記後部筐体６０側の面の周縁部に接している。【選択図】図３
2015158525.tif 000002
【特許請求の範囲】
【請求項１】
開口を有する前部筐体と、
前記前部筐体と組み合わされる後部筐体と、
前記前部筐体と前記後部筐体との間に配置された液晶パネルと、
前記液晶パネルと前記後部筐体との間に配置されたバックライトユニットと、
前記前部筐体と前記バックライトユニットとの間に配置され、前記前部筐体および前記バックライトユニットに接する遮光部材とを備え、
前記遮光部材はさらに、前記液晶パネルの前記後部筐体側の面の周縁部に接している、液晶表示装置。
【請求項２】
前記液晶パネルと前記バックライトユニットとの間に配置された光学シートをさらに備え、
前記光学シートは、前記液晶パネルおよび前記バックライトユニットに挟まれている、請求項１に記載の液晶表示装置。
【請求項３】
前記遮光部材は、平面視において前記液晶パネルと接している部分においては、前記バックライトユニットと接していない、請求項１または２に記載の液晶表示装置。
【請求項４】
前記遮光部材は、前記前部筐体に固定される、請求項１〜３のいずれか一項に記載の液晶表示装置。
【請求項５】
前記前部筐体は、開口が形成された突起部を有し、
前記遮光部材は、前記突起部の開口と嵌合する凸部を有する、請求項４に記載の液晶表示装置。
【請求項６】
前記遮光部材は、前記バックライトユニットの外周に沿うように形成されたガイド部を有する、請求項１〜５のいずれか一項に記載の液晶表示装置。
【請求項７】
前記遮光部材は、前記光学シートの外周に沿うように形成される、請求項２に記載の液晶表示装置。
【発明の詳細な説明】
【技術分野】
【０００１】
本発明は、バックライトを備えた液晶表示装置に関する。
【背景技術】
【０００２】
液晶表示装置を狭額縁化すると、表示エリアの周縁部からバックライトの光が漏れ易くなるという問題がある。
【０００３】
特開２００２−１７４８１１号公報（特許文献１）には、画像表示エリア周辺における照明ユニットからの光漏れを防止することができる液晶表示装置が開示されている。この液晶表示装置では、液晶パネルの画像表示エリア周辺のブラックマトリックスに重なるように、照明ユニットの金属製筐体の開口窓周辺に反射防止材を配置する。また、液晶パネルの上側に配置されるフロントカバーに、遮光フィルムを液晶パネルとオーバーラップするように貼付ける。さらに、液晶パネル端面に反射防止材をコーティングする。
【先行技術文献】
【特許文献】
【０００４】
【特許文献１】特開２００２−１７４８１１号公報
【発明の概要】
【発明が解決しようとする課題】
【０００５】
上記特許文献に開示された液晶表示装置は、反射防止材のコーティング等が必要であり、製造工程数が増加してしまう。
【０００６】
本発明の目的は、バックライトからの光漏れが低減された液晶表示装置の構成を得ることである。
【課題を解決するための手段】
【０００７】
ここに開示する液晶表示装置は、開口を有する前部筐体と、前記前部筐体と組み合わされる後部筐体と、前記前部筐体と前記後部筐体との間に配置された液晶パネルと、前記液晶パネルと前記後部筐体との間に配置されたバックライトユニットと、前記前部筐体と前記バックライトユニットとの間に配置され、前記前部筐体および前記バックライトユニットに接する遮光部材とを備える。前記遮光部材は、前記液晶パネルの前記後部筐体側の面の周縁部に接している。
【発明の効果】
【０００８】
本発明によれば、バックライトからの光漏れが低減された液晶表示装置の構成が得られる。
【図面の簡単な説明】
【０００９】
【図１】図１は、本発明の第１の実施形態にかかる液晶表示装置の概略構成を模式的に示す分解斜視図である。
【図２】図２は、図１の領域Ａを拡大して示す模式的平面図である。
【図３】図３は、図２のＩＩＩ−ＩＩＩ線に沿った断面図である。
【図４】図４は、図２のＩＶ−ＩＶ線に沿った断面図である。
【図５】図５は、第１の比較例にかかる液晶表示装置の構成を模式的に示す断面図である。
【図６】図６は、第２の比較例にかかる液晶表示装置の構成を模式的に示す断面図である。
【図７】図７は、本発明の第２の実施形態にかかる液晶表示装置の構成を模式的に示す断面図である。
【図８】図８は、本発明の第３の実施形態にかかる液晶表示装置の構成を模式的に示す断面図である。
【発明を実施するための形態】
【００１０】
本発明の一実施形態にかかる液晶表示装置は、開口を有する前部筐体と、前記前部筐体と組み合わされる後部筐体と、前記前部筐体と前記後部筐体との間に配置された液晶パネルと、前記液晶パネルと前記後部筐体との間に配置されたバックライトユニットと、前記前部筐体と前記バックライトユニットとの間に配置され、前記前部筐体および前記バックライトユニットに接する遮光部材とを備える。前記遮光部材は、前記液晶パネルの前記後部筐体側の面の周縁部に接している（第１の構成）。
【００１１】
上記の構成によれば、遮光部材は、前部筐体とバックライトユニットとの間に配置され、前部筐体およびバックライトユニットに接している。遮光部材はさらに、液晶パネルの後部筐体側の面の周縁部に接している。これによって、バックライトユニットから照射された光は、液晶パネルの後部筐体側の面から入射する。すなわち、バックライトユニットから照射された光は、遮光部材によって遮られ、液晶パネルの周縁部よりも外側へ進まない。これによって、バックライトユニットから照射された光が、液晶パネルの側面から入射することが防止され、液晶パネル周縁部からの光漏れを低減することができる。
【００１２】
上記の第１の構成において、前記液晶パネルと前記バックライトユニットとの間に配置された光学シートをさらに備え、前記光学シートは、前記液晶パネルおよび前記バックライトユニットに挟まれていることが好ましい（第２の構成）。
【００１３】
上記の構成によれば、光学シートの熱膨張または熱収縮によって光学シートにしわが発生するのを抑制することができる。
【００１４】
上記第１または第２の構成において、前記遮光部材は、平面視において前記液晶パネルと接している部分においては、前記バックライトユニットと接していないことが好ましい（第３の構成）。
【００１５】
遮光部材は、前部筐体とバックライトユニットとに接している。すなわち、遮光部材は、前部筐体とバックライトユニットとの間の間隔を規制している。一方、上記の構成によれば、バックライトユニットからの圧力は、遮光部材を通じては液晶パネルに加わらない。これによって、遮光部材と液晶パネルとの間に緩衝材等を配置する必要がなくなる。
【００１６】
上記第１〜第３のいずれかの構成において、前記遮光部材は、前記前部筐体に固定されることが好ましい（第４の構成）。
【００１７】
上記の構成によれば、液晶表示装置の組立時に、遮光部材の位置決めが容易になり、作業性が向上する。
【００１８】
上記第４の構成において、前記前部筐体は、開口が形成された突起部を有し、前記遮光部材は、前記突起部の開口と嵌合する凸部を有する構成としても良い（第５の構成）。
【００１９】
上記第１〜第５のいずれかの構成において、前記遮光部材は、前記バックライトユニットの外周に沿うように形成されたガイド部を有することが好ましい（第６の構成）。
【００２０】
上記の構成によれば、液晶表示装置の組立時に、バックライトユニットの位置決めが容易になり、作業性が向上する。
【００２１】
上記第２の構成において、前記遮光部材は、前記光学シートの外周に沿うように形成されていることが好ましい（第７の構成）。
【００２２】
上記の構成によれば、液晶表示装置の組立時に、光学シートの位置決めが容易になり、作業性が向上する。
【００２３】
［実施の形態］
以下、図面を参照し、本発明の実施の形態を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２４】
［第１の実施形態]
図１は、本発明の第１の実施形態にかかる液晶表示装置１の概略構成を模式的に示す分解斜視図である。液晶表示装置１は、ベゼル（前部筐体）１０と、液晶パネルユニット（液晶パネル）２０と、遮光部材３０と、光学シート４０と、バックライトユニット５０と、バックライトシャーシ（後部筐体）６０とを備えている。
【００２５】
液晶表示装置１は、ベゼル１０に、液晶パネルユニット２０、遮光部材３０、光学シート４０、バックライトユニット５０、およびバックライトシャーシ６０を、この順で組み付けることによって組み立てられる。
【００２６】
ベゼル１０は額縁状の形状を有している。より具体的には、ベゼル１０は、平面視概略矩形の板状部１１と、板状部１１の周縁部に形成された壁部１２とを含んでいる。板状部１１には開口１０ａが形成されている。ベゼル１０は、バックライトシャーシ６０と共に液晶表示装置１の筐体を形成する。
【００２７】
以下では、図１に示すように、板状部１１の長辺方向をｘ方向、短辺方向をｙ方向と呼ぶ。また、板状部１１と垂直な方向をｚ方向と呼ぶ。さらに、ｚ方向において、ベゼル１０からバックライトシャーシ６０へ向う方向をｚ方向のプラス方向と呼び、反対方向をｚ方向のマイナス方向と呼ぶ。
【００２８】
板状部１１のｚ方向のプラス方向側（バックライトシャーシ６０側）の面には、複数の突起部１３および１４が形成されている。後述するように、突起部１３は遮光部材３０の固定に用いられ、突起部１４はバックライトユニット５０の位置規制に用いられる。
【００２９】
ベゼル１０は例えば、アルミニウム等の金属で形成されている。板状部１１、壁部１２、ならびに突起部１３および１４は、一体的に形成されていても良いし、これらの一部または全部が別々の部品として形成されていても良い。
【００３０】
液晶パネルユニット２０は、アレイ基板２１と、カラーフィルタ基板２２と、ゲートドライバタブ２３と、ソースドライバタブ２４と、ソース基板２５とを含んでいる。
【００３１】
アレイ基板２１は、詳しい構成は図示していないが、透明基板と、画素電極と、画素電極を制御するための配線（ソースラインおよびゲートライン）およびスイッチング素子とを含んでいる。カラーフィルタ基板２２は、詳しい構成は図示していないが、透明基板と、共通電極と、カラーフィルタと、ブラックマトリックスとを含んでいる。
【００３２】
アレイ基板２１とカラーフィルタ基板２２とは、図示しない液晶層を間に挟んで貼り合わされている。アレイ基板２１の面積は、カラーフィルタ基板２２の面積よりも大きく、アレイ基板２１の周縁部がはみ出している。
【００３３】
ゲートドライバタブ２３およびソースドライバタブ２４は、アレイ基板２１がカラーフィルタ基板２２からはみ出した部分に形成されている。図１に示すように、アレイ基板２１のｘ方向両側の端部に、ｙ方向に沿って複数のゲートドライバタブ２３が形成されている。同様に、アレイ基板２１のｙ方向の一方の端部に、ｘ方向に沿って複数のソースドライバタブ２４が形成されている。なお、ゲートドライバタブ２３は、アレイ基板２１のｘ方向の一方の端部のみに形成されていても良い。
【００３４】
ゲートドライバタブ２３およびソースドライバタブ２４は、例えばポリイミドのフィルムと、このフィルム上に形成された電極およびＬＳＩ（Ｌａｒｇｅ  Ｓｃａｌｅ  Ｉｎｔｅｇｒａｔｉｏｎ）チップとを含んでいる。ゲートドライバタブ２３は、アレイ基板２１のゲートラインを駆動するゲートドライバチップを含んでいる。ソースドライバタブ２４は、アレイ基板２１のソースラインを駆動するソースドライバチップを含んでいる。
【００３５】
ソースドライバタブ２４はさらに、ソース基板２５に接続されている。ソース基板２５は、例えばガラスエポキシ基板である。詳しい構成は図示していないが、ソース基板２５には例えば、制御回路、高電圧発生器、およびコネクタが形成されている。なお、液晶パネルユニット２０は、ゲートドライバタブに接続されたゲート基板をさらに含んでいても良い。
【００３６】
液晶パネルユニット２０は、液晶パネルユニット２０の表示エリア（アクティブエリア）とベゼル１０に形成された開口１０ａとが重なるように配置される。ベゼル１０の突起部１３および１４は、ゲートドライバタブ２３同士の間またはソースドライバタブ２４同士の間に位置するように配置されている。そのためベゼル１０の突起部１３および１４は、ゲートドライバタブ２３、ソースドライバタブ２４、およびソース基板２５に干渉しない。
【００３７】
遮光部材３０は、開口３０ａを有する枠状の形状を有している。遮光部材３０の面積はアレイ基板２１の面積よりも大きく、開口３０ａの面積はアレイ基板２１の面積よりも小さい。したがってアレイ基板２１の周縁部は、遮蔽部材３０と平面視において重なり合っている。
【００３８】
遮光部材３０は、より詳しくは、本体部３１と、庇部３２とを含んでいる。庇部３２は、本体部３１の内周側に形成され、アレイ基板２１の周縁部を覆っている。庇部３２は、本体部３１よりも薄く（ｚ方向の寸法が小さく）形成されている。
【００３９】
遮光部材３０には、ベゼル１０の突起部１４と干渉しないように、開口部３０ｂが形成されている。
【００４０】
また、図１には図示していないが、遮光部材３０のｚ方向のマイナス方向側の面（ベゼル１０側の面）には、複数の凸部が形成されている。詳細は後述するが、凸部のそれぞれは、ベゼル１０の突起部１３に形成された開口と嵌合するように形成されている。
【００４１】
遮光部材３０は、遮光性を有している。遮光部材３０は、例えば、黒色顔料を練り込んだ樹脂の成型体である。
【００４２】
光学シート４０は、液晶パネルユニット２０とバックライトユニット５０との間に配置され、バックライトユニット５０から照射される光の特性を向上させる。光学シート４０は、例えば拡散シートおよびプリズムシートである。光学シート４０は１枚のシートであっても良く、２種類以上のシートを組み合わせたものであっても良い。
【００４３】
光学シート４０の面積は遮光部材３０の開口３０ａの面積よりも小さい。後述するように、光学シート４０は、アレイ基板２１およびバックライトユニット５０の両方に接している。すなわち、光学シート４０は、アレイ基板２１とバックライトユニット５０とに挟まれている。
【００４４】
バックライトユニット５０は、詳しい構成は図示していないが、光源と、導光板と、反射シートとを含んでいる。すなわち、バックライトユニット５０はエッジライト型バックライトであり、光源からの光を導光板によって平面光源に変換している。光源は例えばＬＥＤ（Ｌｉｇｈｔ  Ｅｍｉｓｓｉｏｎ  Ｄｉｏｄｅ）であり、導光板は例えばアクリル樹脂の成型体であり、反射フィルムは例えば白色ポリエステルフィルムである。
【００４５】
なお、バックライトユニット５０はエッジライト型バックライトに限定されず、直下型バックライトまたは平面光源型バックライトであっても良い。
【００４６】
バックライトユニット５０は、凹部５０ａを有している。凹部５０ａは、ベゼル１０の突起部１４と対応する位置に形成されている。ベゼル１０の突起部１４と凹部５０ａとを係合させることで、バックライトユニット５０の、ｘ方向およびｙ方向の位置が規制される。
【００４７】
バックライトシャーシ６０は、平面視概略矩形の板状形状を有している。バックライトシャーシ６０は、既述のようにベゼル１０と共に液晶表示装置１の筐体を形成する。バックライトシャーシ６０は例えば、樹脂の成型品である。
【００４８】
図２は、図１の領域Ａを拡大して示す模式的平面図である。図２は、ベゼル１０に液晶パネルユニット２０を組み付けた状態を示している。図２にはまた、遮光部材３０と遮光部材３０の断面とを模式的に示している。既述のように、ベゼル１０の突起部１３は、液晶パネルユニット２０のゲートドライバタブ２３同士の間に位置し、ゲートドライバタブ２３と干渉しない。遮光部材３０のｚ方向のマイナス方向側の面（ベゼル１０側の面）には、複数の凸部３３が形成されている。凸部３３のそれぞれは、ベゼル１０の突起部１３に形成された開口１３ａと嵌合するように形成されている。
【００４９】
図３は、図２のＩＩＩ−ＩＩＩ線に沿った断面図であり、図４は図２のＩＶ−ＩＶ線に沿った断面図である。図３および図４に示すように、突起部１３の上端面（ｚ方向のプラス方向側の端面）は、ゲートドライバタブ２３よりもバックライトシャーシ６０側に位置している。これによって、遮光部材３０の本体部３１および庇部３２は、ゲートドライバタブ２３およびゲートドライバタブ２３に形成されたゲートドライバチップ２３１よりも、バックライトシャーシ６０側に配置される。そのため、遮光部材３０は、ゲートドライバタブ２３およびゲートドライバチップ２３１に干渉しない。図示は省略するが、遮光部材３０は同様にして、ソースドライバタブ２４およびソースドライバタブ２４に形成されたソースドライバチップとも干渉しない。
【００５０】
遮光部材３０の本体部３１は、バックライトユニット５０と接している。遮光部材３０の本体部３１は、ベゼル１０の突起部１３とバックライトユニット５０とに挟まれている。換言すれば、遮光部材３０は、ベゼル１０とバックライトユニット５０との間の間隔を規制している。
【００５１】
遮光部材３０の庇部３２は、液晶パネルユニット２０のアレイ基板２１のｚ方向のプラス方向側の面（バックライトシャーシ６０側の面）に接している。庇部３２は、アレイ基板２１の周縁部を覆っている。
【００５２】
庇部３２は、本体部３１よりも薄く（ｚ方向の寸法が小さく）形成されている。これによって、庇部３２は、バックライトユニット５０と接していない。換言すれば、遮光部材３０は、平面視においてアレイ基板２１と接している部分（庇部３２）においては、バックライトユニット５０と接していない。
【００５３】
バックライトユニット５０は、遮光部材３０の本体部３１とバックライトシャーシ６０とに挟まれて保持されている。換言すれば、バックライトユニット５０は、バックライトシャーシ６０によって、ベゼル１０側に押さえつけられて固定されている。なお、バックライトシャーシ６０は、例えばベゼル１０にビス等で固定されている。
【００５４】
アレイ基板２１、カラーフィルタ基板２２、および光学シート４０は、ベゼル１０の板状部１１とバックライトユニット５０とに挟まれて保持されている。なお、より詳しくは、カラーフィルタ基板２２と板状部１１との間には緩衝材１５が配置されている。
【００５５】
光学シート４０は、液晶パネルユニット２０のアレイ基板２１およびバックライトユニット５０の両方に接している。すなわち、光学シート４０は、アレイ基板２１とバックライトユニット５０とに挟まれている。緩衝材１５が圧縮変形することによって、液晶パネルユニット２０とバックライトユニット５０の間隔が適切に保たれる。この構成によって、光学シート４０を、アレイ基板２１およびバックライトユニット５０に密着させることができる。
【００５６】
以上、本発明の第１の実施形態にかかる液晶表示装置１の概略構成を説明した。本実施形態によれば、遮光部材３０の庇部３２は、液晶パネルユニット２０のアレイ基板２１の、バックライトシャーシ６０側の面の周縁部に接している。これによって、バックライトユニット５０から照射された光は、アレイ基板２１のバックライトシャーシ６０側の面から入射する。すなわち、バックライトユニット５０から照射された光は、遮光部材３０によって遮られ、アレイ基板１２の周縁部より外側へは進まない。これによって、バックライトユニット５０から照射された光が、アレイ基板２１またはカラーフィルタ基板２２の側面から入射することが防止される。したがって、アレイ基板２１およびカラーフィルタ基板２２の周縁部からの光漏れを低減することができる。
【００５７】
庇部３２は、アレイ基板２１の周縁部の全周を覆っていることが好ましい。また、庇部３２は、カラーフィルタ基板２２の周縁部に形成されたブラックマトリクス２２１と、平面視で一部が重なるように形成されていることが好ましい。これによって、隙間から光が漏れないようにすることができる。
【００５８】
バックライトユニット５０の凹部５０ａ（図１参照）のように、導光板側面に凹凸があるとそこから光が漏れやすくなる。しかし、本実施形態によれば、導光板側面から光漏れがあっても、遮光部材３０によって遮ることができる。すなわち、光漏れの影響を考慮しなくても良いため、バックライトユニット５０の設計の自由度が向上する。
【００５９】
遮光部材３０は、凸部３３によってベゼル１０に固定される。この構成によって、遮光部材３０の位置決めを正確に行うことができる。また、組み付け時の作業性が向上する。
【００６０】
ベゼル１０に形成された突起部１３は、凸部３３と嵌合して遮光部材３０を固定する。突起部１３はさらに、遮光部材３０が、液晶パネルユニット２０のゲートドライバタブ２３およびソースドライバタブ２４と干渉しないようにする構造部品の役割を兼ねている。
【００６１】
遮光部材３０がシート形状の場合、組み付け時に捲れ上がったりしわが寄る等して、取扱いが難しくなる。この場合、遮光部材３０の面積が大きくなるほど、作業性が悪くなる。本実施形態によれば、遮光部材３０は、本体部３１や凸部３３によって、断面形状に凹凸がある。これによって、シート形状の場合よりも保形成が向上し、取扱い易くなる。そのため、組み付け時の作業性が向上する。
【００６２】
遮光部材３０は、ベゼル１０とバックライトユニット５０との間の間隔を規制する役割を兼ねている。別個の部品によってベゼル１０とバックライトユニット５０との間の間隔を規制する場合と比較して、部品点数を削減することができる。
【００６３】
遮光部材３０の本体部３１は、バックライトシャーシ６０と共にバックライトユニット５０を挟んで保持している。一方、遮光部材３０の庇部３２は、導光板５０に接していない。これによって、バックライトユニット５０からの圧力が液晶パネルユニット２０のアレイ基板２１およびカラーフィルタ基板２２に加わらない。したがって、遮光部材３０と液晶パネルユニット２０との間に緩衝材等を配置する必要がない。
【００６４】
また本実施形態によれば、光学シート４０をアレイ基板２１およびバックライトユニット５０に密着させることができる。これによって、光学シート４０が熱膨張により変形しても、しわが発生しない。したがって、良好な表示特性を維持することができる。好ましくは、光学シート４０は、その全面が、アレイ基板２１およびバックライトユニット５０に密着している。これによって、しわの発生がより抑制される。
【００６５】
［比較例１］
次に、本実施形態の効果を説明するための仮想的な比較例について説明する。図５は、第１の比較例にかかる液晶表示装置８の構成を模式的に示す断面図である。液晶表示装置８は、液晶表示装置１と比較して、遮光部材３０を備えず、かつ、ベゼル１０に代えてベゼル１０Ａを備えている。
【００６６】
ベゼル１０Ａは、ベゼル１０の突起部１３に代えて、突起部１６を備えている。液晶表示装置８では、突起部１６によって、ベゼル１０の板状部１１とバックライトユニット５０との間隔を規制している。
【００６７】
液晶表示装置８の構成では、図５中に矢印で示すように、バックライトユニット５０から照射された光の一部が、アレイ基板２１またはカラーフィルタ基板２２の側面から入射する。そのため、アレイ基板２１およびカラーフィルタ基板２２の法線に対して斜めから覗き込むと、光漏れが観察される場合がある。光漏れは、ブラックマトリクス２２１の幅が狭かったり、ベゼル１０の開口１０ａが大きかったりする場合、すなわち狭額縁の場合、特に顕著になる。
【００６８】
［比較例２］
図６は、第２の比較例にかかる液晶表示装置９の構成を模式的に示す断面図である。液晶表示装置９は、液晶表示装置１の遮光部材３０に代えて、パネルホルダ９０を備えている。
【００６９】
パネルホルダ９０は、開口を有する板状部９１と、板状部９１の周縁部に形成された壁部９２とを含んでいる。板状部９１の面積はアレイ基板２１の面積よりも大きく、板状部９１の開口の面積はアレイ基板２１の面積よりも小さい。したがって、板状部９１は、アレイ基板２１の周縁部と接している。
【００７０】
パネルホルダ９０の壁部９２の端部は、バックライトシャーシ６０に固定されている。この構成によって、パネルホルダ９０は、バックライトシャーシ６０とアレイ基板２１との間の間隔を規制している。
【００７１】
液晶表示装置９の構成によっても、板状部９１がアレイ基板２１の周縁部を覆っているため、光漏れは発生しない。
【００７２】
一方、板状部９１は、アレイ基板２１および光学シート４０と、それぞれの周縁部で接している。これによって、アレイ基板２１および光学シート４０の周縁部に応力が集中する。そのため、枠状部９１とアレイ基板２１との間に緩衝材９３を、枠状部９１と光学シート４０との間に緩衝材９４を、それぞれ配置する必要がある。
【００７３】
また、液晶表示装置９の構成では、光学シート４０とアレイ基板２１との間にパネルホルダ９０の板状部９１が配置されているため、光学シート４０とアレイ基板２１とが密着しない。図６に示すように、光学シート４０とアレイ基板２１との間には、クリアランスΔが存在する。そのため、光学シート４０が熱膨張によって変形し、しわが発生する場合がある。
【００７４】
以上、仮想的な比較例にかかる液晶表示装置の構成を説明した。これらの液晶表示装置と比較して、本実施形態にかかる液晶表示装置１の構成によれば、アレイ基板２１と光学シート４０とが接した状態を保ちつつ、かつ光漏れを防止することができる。
【００７５】
［第２の実施形態］
図７は、本発明の第２の実施形態にかかる液晶表示装置２の構成を模式的に示す断面図である。液晶表示装置２は、液晶表示装置１の遮光部材３０に代えて、遮光部材３０Ａを備えている。
【００７６】
遮光部材３０Ａは、遮光部材３０が備える構成に加えて、本体部３１のｚ方向プラス方向側（バックライトシャーシ６０側）の端面の周縁部に形成された、ガイド部３１ａをさらに備えている。ガイド部３１ａは、バックライトユニット５０の外周に沿うように形成されている。換言すれば、遮光部材３０は、本体部３１およびガイド部３１ａによって形成される窪みに、バックライトユニット５０が嵌合するように形成されている。
【００７７】
本実施形態によれば、ガイド部３１ａによって、バックライトユニット５０のｘ方向またはｙ方向の位置が規制される。これによって、ベゼル１０の突起部１４、バックライトユニット５０の凹部５０ａ（図１参照）が不要になる。また、組み立て時にバックライトユニット５０の位置決めが容易になり、作業性が向上する。
【００７８】
なお、ガイド部３１ａは、バックライトユニット５０と接していなくても良い。すなわち、バックライトユニット５０の位置のずれが公差内となる範囲で、クリアランスがあっても良い。このクリアランスは、バックライトユニット５０およびガイド部３１ａの熱膨張を許容する。
【００７９】
［第３の実施形態］
図８は、本発明の第３の実施形態にかかる液晶表示装置３の構成を模式的に示す断面図である。液晶表示装置３は、液晶表示装置１の遮光部材３０に代えて、遮光部材３０Ｂを備えている。
【００８０】
遮光部材３０Ｂは、遮光部材３０の庇部３２に代えて、庇部３２Ｂを備えている。庇部３２Ｂは、光学シート４０の外周に沿うように形成されている。
【００８１】
本実施形態によれば、庇部３２Ｂによって、組立時に光学シート４０の位置決めが容易になり、作業性が向上する。
【００８２】
なお、庇部３２Ｂは、光学シート４０と接していなくても良い。すなわち、光学シート４０の位置のずれが公差内となる範囲で、クリアランスがあっても良い。このクリアランスは、光学シート４０および庇部３２Ｂの熱膨張を許容する。
【００８３】
［その他の実施形態］
以上、本発明についての実施形態を説明したが、本発明は上述の各実施形態のみに限定されず、発明の範囲内で種々の変更が可能である。また、各実施形態は、適宜組み合わせて実施することが可能である。
【産業上の利用可能性】
【００８４】
本発明は、バックライトを備えた液晶表示装置として産業上の利用が可能である。
【符号の説明】
【００８５】
１，２，８，９  液晶表示装置
１０  ベゼル（前部筐体）
１１  板状部
１２  壁部
１３，１４  突起部
２０  液晶パネルユニット（液晶パネル）
２１  アレイ基板
２２  カラーフィルタ基板
２３  ゲートドライバタブ
２４  ソースドライバタブ
２５  ソース基板
３０  遮光部材
３１  本体部
３２  庇部
３３  凸部
４０  光学シート
５０  バックライトユニット
６０  バックライトシャーシ（後部筐体）
【図１】
2015158525.tif 000003
【図２】
2015158525.tif 000004
【図３】
2015158525.tif 000005
【図４】
2015158525.tif 000006
【図５】
2015158525.tif 000007
【図６】
2015158525.tif 000008
【図７】
2015158525.tif 000009
【図８】
2015158525.tif 000010